(57)【特許請求の範囲】
【請求項１】
開口部を幅方向にスライド移動するドア体と、開口部の戸尻側半部に設けられる戸袋と、開口部の上方に設けられ、ドア体をスライド移動させるべくドア体に連動連結される駆動装置とを備え、該駆動装置の駆動に基づきドア体をスライド移動させることで開口部の戸先側半部を開閉するように構成してなる引き戸式ドア装置において、前記戸袋を、ドア体の見込み方向両側に位置する第一、第二パネル体で構成し、これら第一、第二パネル体をそれぞれ開口部の幅方向にスライド移動自在に設けるとともに、開口部の上方に、前記ドア体の上部をスライド移動自在にガイドするドア体用レールと、第一、第二パネル体の上部をそれぞれスライド移動自在にガイドする第一、第二パネル体用レールとを設けるにあたり、第一、第二パネル体用レールのうち一方のパネル体用レールを駆動装置よりも上方に配し、ドア体用レールと第一、第二パネル体用レールのうち他方のパネル体用レールとを駆動装置よりも下方に配する一方、これら駆動装置よりも下方に配されるドア体用レールと他方のパネル体用レールとを上下に並設させて設けたことを特徴とする引き戸式ドア装置。
【請求項２】
請求項１において、他方のパネル体用レールは、開口部上枠の一方の見付け面部を形成する枠材に一体形成される一方、ドア体用レールは、該ドア体用レールの下面部が他方のパネル体用レールの上面部に当接する状態で他方のパネル体用レールの上側に並設されることを特徴とする引き戸式ドア装置。
【発明の詳細な説明】
【技術分野】
【０００１】
本発明は、商店や公共施設等の建築物の出入り口部等に設けられる引き戸式ドア装置の技術分野に関するものである。
【背景技術】
【０００２】
一般に、引き戸式ドア装置のなかには、開口部を幅方向にスライド移動するドア体と、開口部の戸尻側半部に設けられる戸袋と、開口部の上方に設けられ、ドア体をスライド移動させるべくドア体に連動連結される開閉機とを備え、該開閉機の駆動に基づきドア体をスライド移動させることで開口部の戸先側半部を開閉するように構成したものがある。このものにおいて、前記戸袋を、ドア体の見付け方向両側に位置する第一、第二パネル体で構成する場合、これらパネル体の両方が躯体側に固定されたフィックス板であると、戸袋内に入り込んだゴミ等を取出す等の清掃作業が困難であるうえ、パネル体を例えばガラス材で形成したものでは、戸袋内部側のガラス面を払拭清掃できないという問題がある。
そこで従来、戸袋を構成する第一、第二パネル体のうちの一方のパネル体を、開口部の幅方向にスライド移動に構成するとともに、ドア体の戸先部分と一方のパネル体の戸尻部分とがすれ違うことで、一方のパネル体とドア体とを引き違い可能に構成し、これにより戸袋内の清掃、およびパネル体の戸袋内部側面の払拭清掃を行えるようにしたものが知られている（特許文献１参照）。
【先行技術文献】
【特許文献】
【０００３】
【特許文献１】特許第５１６４１７５号公報
【発明の概要】
【発明が解決しようとする課題】
【０００４】
しかしながら、前記従来のものは、ドア体の戸先部分と一方のパネル体の戸尻部分とをすれ違わせる場合に、ドア体の戸先部分の縦框とパネル体の戸先部分の縦框とのあいだに指を挟んでしまう惧れがある。また、ドア体の戸先部分の縦框に、ドア体を開閉させるための起動センサとしてのタッチセンサ等が設けられていると、該タッチセンサがドア体と一方のパネル体とのすれ違いの邪魔になる惧れがあり、これを回避するためにはドア体と一方のパネル体との見込み方向の間隙を広く採らなければならず、引き戸式ドア装置の見込み寸法が大きくなってしまうという問題もある。
そこで、戸袋を構成する第一、第二パネル体の両方を開口部の幅方向にスライド移動に構成することで、パネル体とドア体とを引き違い可能にしなくても、戸袋内の清掃、および第一、第二パネル体の戸袋内部側面の払拭清掃を行えるようにすることが提唱される。しかるに、このように第一、第二パネル体の両方をスライド移動自在に構成した場合、ドア体の上部をスライド移動自在にガイドするドア用レールに加え、第一、第二パネル体の上部をそれぞれスライド移動自在にガイドする二本の第一、第二パネル体用レールが必要になる。つまり、開口部の上方にドア用レールと第一、第二パネル体用レールとの計三本のレールを設ける必要があるが、この場合に、三本のレールが占める見込み寸法が大きくなって引き戸式ドア装置が大型化してしまうことが懸念され、ここに本発明の解決すべき課題がある。
【課題を解決するための手段】
【０００５】
本発明は、上記の如き実情に鑑みこれらの課題を解決することを目的として創作されたものであって、請求項１の発明は、  開口部を幅方向にスライド移動するドア体と、開口部の戸尻側半部に設けられる戸袋と、開口部の上方に設けられ、ドア体をスライド移動させるべくドア体に連動連結される駆動装置とを備え、該駆動装置の駆動に基づきドア体をスライド移動させることで開口部の戸先側半部を開閉するように構成してなる引き戸式ドア装置において、前記戸袋を、ドア体の見込み方向両側に位置する第一、第二パネル体で構成し、これら第一、第二パネル体をそれぞれ開口部の幅方向にスライド移動自在に設けるとともに、開口部の上方に、前記ドア体の上部をスライド移動自在にガイドするドア体用レールと、第一、第二パネル体の上部をそれぞれスライド移動自在にガイドする第一、第二パネル体用レールとを設けるにあたり、第一、第二パネル体用レールのうち一方のパネル体用レールを駆動装置よりも上方に配し、ドア体用レールと第一、第二パネル体用レールのうち他方のパネル体用レールとを駆動装置よりも下方に配する一方、これら駆動装置よりも下方に配されるドア体用レールと他方のパネル体用レールとを上下に並設させて設けたことを特徴とする引き戸式ドア装置である。
請求項２の発明は、請求項１において、他方のパネル体用レールは、開口部上枠の一方の見付け面部を形成する枠材に一体形成される一方、ドア体用レールは、該ドア体用レールの下面部が他方のパネル体用レールの上面部に当接する状態で他方のパネル体用レールの上側に並設されることを特徴とする引き戸式ドア装置である。
【発明の効果】
【０００６】
請求項１の発明とすることにより、ドア体とパネル体とが引違い可能でなくても、戸袋内の清掃や、第一、第二パネル体の室内外両面の払拭清掃等を容易に行うことができる。しかも、ドア体用レールおよび第一、第二パネル体用レールの三本のレールを見込み方向に幅狭な状態で配することができて、引き戸式ドア装置のコンバクト化に寄与できる。
請求項２の発明とすることにより、ドア体用レールと第二パネル体用レールとが互いに支持された状態になって、両レールの強度アップを図れる。
【図面の簡単な説明】
【０００７】
【図１】引き戸式ドア装置の室内側から視た正面図である。
【図２】ドア体および第一、第二パネル体の移動を示す説明図であって、（Ａ）、（Ｂ）は通常時におけるドア体の開閉移動を示す図、（Ｃ）は第一パネル体をメンテナンス姿勢にしたときの図、（Ｄ）は第二パネル体をメンテナンス姿勢にしたときの図、（Ｅ）は第一および第二パネル体をメンテナンス姿勢にしたときの図である。
【図３】開口部上枠の一部を切欠いた引き戸式ドア装置の室内側から視た拡大正面図である。
【図４】開口部上枠の一部を切欠いた引き戸式ドア装置の室外側から視た拡大正面図である。
【図５】引き戸式ドア装置の縦断面図である。
【図６】図５の要部拡大図である。
【図７】引き戸式ドア装置の横断面図である。
【図８】ドア体用ローラユニット、およびドア体用ローラユニットと動力伝動体との連結を示す図である。
【発明を実施するための形態】
【０００８】
以下、本発明の実施の形態について、図面に基づいて説明する。
図面において、１は建築物の開口部に設けられた引き戸式ドア装置であって、該引き戸式ドア装置１を構成するドア体２は、開口部を幅方向（左右方向）にスライド移動することによって、開口部の戸先側半部に設けられる出入口Ａを開閉するとともに、出入口Ａを開くときには開口部の戸尻側半部に設けられる戸袋Ｂに収納されるように構成されている。また、３は開口部が開設される躯体であって、該躯体３は、本実施の形態では、室Ｒ（例えば喫煙室）の室内と室外とを仕切るためのガラス材からなるパーティションであり、該パーティション（躯体３）に開設された開口部に引き戸式ドア装置１が設けられている。尚、本発明では、ドア体２の戸先側を開口部や後述する各部材（第一パネル体７、第二パネル体８、ドア体用レール６、第一パネル体用レール１３、第二パ
ネル体用レール１４、開口部上枠２６、外側枠材２７、内側枠材２８等）の戸先側とし、ドア体２の戸尻側を開口部や各部材の戸尻側とする。
【０００９】
前記ドア体２は、ガラス材の四周を上框２ａ、下框２ｂ、左右の縦框２ｃ、２ｄによって枠組形成したものであって、上框２ａには、後述する左右一対のドア体用ローラユニット４が取付けられている。そして、該ドア体用ローラユニット４に設けられたドア体用走行ローラ５が、開口部の上方に配設される後述のドア体用レール６に吊持された状態で左右方向スライド移動自在にガイドされるように構成されており、これによりドア体２は開口部を幅方向（左右方向）にスライド移動して、出入口Ａを閉じる全閉姿勢と、出入口Ａを開いて戸袋Ｂに収納される全開姿勢とに変姿するように構成されている。
【００１０】
一方、前記開口部の戸尻側半部に設けられる戸袋Ｂは、ドア体２の見込み方向両側（ドア体２を挟んで室内側および室外側）に位置し、面方向がドア体２の面方向と平行な第一、第二パネル体７、８を用いて構成されている。そして、ドア体２が出入口Ａを開くときには上記第一、第二パネル体７、８の対向間にドア体２が引き込まれるようになっており、これにより、開閉移動するドア体２の戸尻側が人や物体に当接してしまうことを防止できるようになっている。尚、本実施の形態において、ドア体２の見込み方向室外側に位置する第一パネル体７が本発明の一方のパネル体に相当し、室内側に位置する第二パネル体８が他方のパネル体に相当する。
【００１１】
前記第一、第二パネル体７、８は、前記ドア体２と同様に、ガラス材の四周を上框７ａ、８ａ、下框７ｂ、８ｂ、左右の縦框７ｃ、７ｄ、８ｃ、８ｄによって枠組形成したものであって、上框７ａ、８ａには、後述する左右一対の第一、第二パネル体用ローラユニット９、１０がそれぞれ取付けられている。そして、該第一、第二パネル体用ローラユニット９、１０にそれぞれ設けられた第一、第二パネル体用走行ローラ１１、１２が、開口部の上方に配設される後述の第一、第二パネル体用レール１３、１４に吊持された状態で左右方向スライド移動自在にガイドされるように構成されており、これにより第一、第二パネル体７、８は開口部を幅方向（左右方向）にスライド移動して、開口部の戸尻側半部に位置して戸袋Ｂを形成する戸袋姿勢と、該戸袋姿勢から開口部の戸先側に移動して戸袋Ｂの室外側、室内側、或いは室内外両側を開放するメンテナンス姿勢とに変姿するように構成されている。尚、以下の説明において、ドア体２、第一、第二パネル体７、８の左右の縦框２ｃ、２ｄ、７ｃ、７ｄ、８ｃ、８ｄのうち戸先側の縦框を戸先側縦框２ｃ、７ｃ、８ｃと称し、戸尻側の縦框を戸尻側縦框２ｄ、７ｄ、８ｄと称する。
【００１２】
そして、前記第一、第二パネル体７、８は、ドア体２が出入口Ａの開閉作動を行う通常時には戸袋姿勢にロックされているが、該ロックを解除して第一、第二パネル体７、８の一方、或いは両方を開口部戸先側に移動させてメンテナンス姿勢に変姿させることにより、戸袋Ｂの室外側半部、室内側半部、或いは室内外両側が開放された状態になって、戸袋Ｂ内の清掃や、第一、第二パネル体７、８の室内側および室外側のガラス面の払拭清掃等を容易に行うことができるようになっている（図２参照）。尚、図中、１５は第一、第二パネル体７、８を戸袋姿勢にロックするためのロック手段（施錠装置）であって、該ロック手段１５は、本実施の形態では鎌錠が採用されている。
【００１３】
ここで、第一、第二パネル体７，８には、メンテナンス姿勢にしたときにドア体２との引き違いを防止するための引き違い防止用ストッパ１６、１７が設けられている。該引き違い防止用ストッパ１６、１７は、本実施の形態では、第一、第二パネル体７、８の戸尻側縦框７ｄ、８ｄの上部から上框７ａ、８ａの戸尻側端部に至る部位にドア体２側に向けて突出するように設けられていて、第一、第二パネル体７、８をメンテナンス姿勢にしたときにドア体２の戸尻側縦框２ｄに当接するようになっている（図２参照）。そして、該引き違い防止用ストッパ１６、１７がドア体２の戸尻側縦框２ｄに当接することで、ドア体２と第一、第二パネル体７、８との引き違いが禁止されるとともに、引き違い防止用ストッパ１６、１７がドア体２の戸尻側縦框２ｄに当接している状態では、ドア体２の戸先側縦框２ｃの戸尻側端部よりも第一、第二パネル体７、８の戸先側縦框７ｃ、８ｃの戸先側端部が戸尻側に位置していて、ドア体２と第一、第二パネル体７、８の戸先側縦框２ｃ、７ｃ、８ｃ同士が重ならないように設定されており、これにより、第一、第二パネル体７，８をメンテナンス姿勢にしたときにドア体２の戸先側縦框２ｃと第一、第二パネル体７、８の戸先側縦框７ｃ、８ｃとのあいだに指を挟んでしまうことを防止できるとともに、ドア体２の戸先側縦框２ｃに例えばタッチセンサ等のセンサが設けられていても、該センサに第一、第二パネル体７、８の戸先側縦框７ｃ、８ｃが衝突してしまうことを防止できるようになっている。
【００１４】
一方、前記ドア体２および第一、第二パネル体７、８は、上框２ａ、７ａ、８ａおよび下框２ｂ、７ｂ、８ｂが全て同形状、同高さ位置となるように設計されていて意匠性に優れているが、ドア体２および第一パネル体７の上框２ａ、７ａの上側には、ドア体用、第一パネル体用のスペーサ１８、１９がドア体上框２ａ、第一パネル体上框７ａの左右幅略全長に亘って設けられている。そして、ドア体２および第一パネル体７は、スペーサ１８、１９の上側に前記左右一対のドア体用ローラユニット４、第一パネル体用ローラユニット９が取付けられている。
【００１５】
前記ドア体用ローラユニット４は、左右一対のドア体用走行ローラ５と、これらドア体用走行ローラ５をドア体２に取付けるためのドア体用ローラ取付ブラケット２０とにより構成されており、該ドア体用ローラ取付ブラケット２０は、前記ドア体用のスペーサ１８の上面に固定される取付板２０ａと、該取付板２０ａから上方に向けて立設される立上がり片２０ｂと、該立上がり片２０ｂにボルト２０ｃにより固定される支持板２０ｄとを備えて構成されている。そして該支持板２０ｄに、室内外方向を向く支軸を介して前記左右一対のドア体用走行ローラ５がそれぞれ回転自在に軸承されているが、この場合にドア体用走行ローラ５は、ドア体２の見込み幅よりも室内側に突出していて、ドア体２に対して室内側に偏奇した状態となるように設計されている。また、前記支持板２０ｄの左右端部には、後述する位置決め用ストッパ２１に当接するストッパ当接部２０ｆが室内側に向けて折曲形成されている。さらに、左右一対のドア体用ローラユニット４のうち戸先側のドア体用ローラユニット４のドア体用ローラ取付ブラケット２０の支持板２０ｄには、後述する動力伝動体３９に連結される連結部材２３が止着されている。尚、図中、２０ｇはドア体用のスペーサ１８の上面とドア体用ローラ取付ブラケット２０の取付板２０ａとの間に介装されるシムであって、取付板２０ａは、シム２０ｇおよびスペーサ１８を貫通してドア体上框２ａに螺入されるボルト２０ｈによりスペーサ１８の上面に固定されるようになっている。
【００１６】
また、第一パネル体用ローラユニット９は、左右一対の室外側、室内側の第一パネル体用走行ローラ１１と、これら第一パネル体用走行ローラ１１を第一パネル体７に取付けるための第一パネル体用ローラ取付ブラケット２４とにより構成されており、該第一パネル体用ローラ取付ブラケット２４は、前記第一パネル体用のスペーサ１９の上面に固定される取付板２４ａと、該取付板２４ａから上方に向けて立設される立上がり片２４ｂと、該立上がり片２４ｂの上部にボルト２４ｃにより固定され、立上がり片２４ｂからさらに上方に伸びる支持板２４ｄとを備えて構成されている。そして該支持板２４ｄの上部に、室内外方向を向く支軸を介して前記左右一対の室外側、室内側の第一パネル体用走行ローラ１１がそれぞれ回転自在に軸承されている。尚、図中、２４ｆは第一パネル体用のスペーサ１９の上面と第一パネル体用ローラ取付ブラケット２４の取付板２４ａの間に介装されるシムであって、取付板２４ａは、前述したドア体用ローラ取付ブラケット２０の取付板２０ａと同様に、シム２４ｆおよび第一パネル体用のスペーサ１９を貫通して第一パネル体上框７ａに螺入されるボルト２４ｇによりスペーサ１９の上面に固定されるようになっている。
【００１７】
また、第二パネル体用ローラユニット１０は、左右一対の室外側、室内側の第二パネル体用走行ローラ１２と、これら第二パネル体用走行ローラ１２を第二パネル体８に取り付けるための第二パネル体用ローラ取付ブラケット２５とにより構成されており、該第二パネル体用ローラ取付ブラケット２５は、第二パネル体上框８ａの上部に内装される状態で第二パネル体上框８ａに取付けられる取付ケース２５ａと、下端側が取付ケース２５ａに支持された状態で第二パネル体上框８ａの上面から上方に突出する支持片２５ｂとを備えて構成されている。そして該支持片２５ｂに、室内外方向を向く支軸を介して前記左右一対の室外側、室内側の第二パネル体用走行ローラ１２がそれぞれ回転自在に軸承されている。
【００１８】
一方、２６は開口部の上方に設けられる金属製の開口部上枠（無目）であって、該開口部上枠２６は、後述する外側枠材２７と内側枠材２８とカバー体（無目カバー）２９とを備えて構成されている。尚、３０、３１は開口部の左右側方に設けられる開口部縦枠である。
【００１９】
前記外側枠材２７は、開口部上枠２６の室内側の見付け面を形成する室内側見付け面部２７ａと、該室内側見付け面部２７ａの上部から室外側に向けて折曲形成される上側見込み面部２７ｂとが一体形成された略逆Ｌ字形状のものであって、その左右両端部はビス（図示せず）により開口部縦枠３０、３１に固定されているが、該外側枠材２７の上側見込み面部２７ｂの室外側端部には、前記第一パネル体用レール１３がビス２７ｃを介して固定されている。該第一パネル体用レール１３は、開口部上枠２６の左右幅略全長に亘るように設けられているとともに、室外側、室内側の壁面部１３ａ、１３ｂと、これら壁面部１３ａ、１３ｂの上端部同士を連結する上面部１３ｃと、室外側、室内側の壁面部１３ａ、１３ｂの下部にそれぞれ形成される室外側、室内側のレール部１３ｄ、１３ｅとを備えている。そして、これら室外側、室内側のレール部１３ｄ、１３ｅに室外側、室内側の第一パネル体用走行ローラ１１がそれぞれスライド移動自在に支持され、これにより第一パネル体７は、第一パネル体用レール１３に吊持された状態で開口部を幅方向にスライド移動するようになっている。
【００２０】
また、前記外側枠材２７の室内側見付け面部２７ａの下部には、前記第二パネル体用レール１４が一体形成されている。該第二パネル体用レール１４は、開口部上枠２６の左右幅略全長に亘るように設けられているとともに、室外側、室内側の壁面部１４ａ、１４ｂと、これら壁面部１４ａ、１４ｂの上端部同士を連結する上面部１４ｃと、室外側、室内側の壁面部１４ａ、１４ｂの下部にそれぞれ形成される室外側、室内側のレール部１４ｄ、１４ｅとを備えている。そして、これら室外側、室内側のレール部１４ｄ、１４ｅに室外側、室内側の第二パネル体用走行ローラ１２がそれぞれスライド移動自在に支持され、これにより第二パネル体８は、第二パネル体用レール１４に吊持された状態で開口部を幅方向にスライド移動するようになっている。尚、第二パネル体用レール１４の室内側の壁面部１４ｂの外側面は、外側枠材２７の室内側見付け面部２７ａの外側面と面一状となって開口部上枠２６の室内側の見付け面を形成している。また、外側枠材２７は、本発明の開口部上枠の一方の見付け面部を形成する枠材に相当する。
【００２１】
一方、内側枠材２８は、前記外側枠材２７の室内側見付け面部２７ａの内側面に沿って左右方向長尺に設けられており、その左右両端部は取付け金具３２および取付けボルト３２ａを介して左右の開口部縦枠３０、３１に固定されている。そして、該内側枠材２８の上半部は、後述する駆動装置３３や該駆動装置３３を制御する制御器４０、端子台４１、光電センサ用のアンプ４２等の機器が取付けられる機器配設部２８ａになっている一方、内側枠材２８の下半部には、前記ドア体用レール６が一体形成されている。該ドア体用レール６は、開口部上枠２６の左右幅略全長に亘るように設けられているとともに、外側枠材２７の室内側見付け面部２７ａの内側面に沿う壁面部６ａと、該壁面部６ａの上部から室外側に突出する上面部６ｂと、壁面部６ａの下部から室外側に突出する下面部６ｃと、該下面部６ｃの室外側端部に形成されるレール部６ｄとを備えているが、上記下面部６ｃは前記第二パネル体用レール１４の上面部１４ｃに上側から当接している。つまり、ドア体用レール６は、その下面部６ｃが第二パネル体用レール１４の上面部１４ｃに当接する状態で、第二パネル体用レール１４の上側に並設されている。そして、該ドア体用レール６のレール部６ｄにドア体用走行ローラ５がスライド移動自在に支持され、これによりドア体２は、ドア体用レール６に吊持された状態で開口部を幅方向にスライド移動するようになっている。
尚、図中、２１はドア体用レール６の戸先側端部、戸尻側端部に設けられる全閉用、全開用の位置決め用ストッパであって、該位置決め用ストッパ２１は、ドア体２が全閉姿勢、全開姿勢になったときに前記ドア体用ローラ取付ブラケット２０に設けられたストッパ当接部２０ｆに当接するように設定されている。
また、前記ドア体２、第一、第二パネル体７、８の下框２ｂ、７ｂ、８ｂの下部には、下方が開口したガイド溝部２ｅ、７ｅ、８ｅが左右幅略全長に亘って形成されており、該ガイド溝部２ｅ、７ｅ、８ｅには、開口部の床面に固定されたガイド突起３４が嵌入している。そして、ドア体２、第一、第二パネル体７、８が開口部をスライド移動する場合には、前記ガイド突起３４がガイド溝部２ｅ、７ｅ、８ｅを左右方向に相対的にスライド移動し、これによりドア体２、第一、第二パネル体７、８の下部側のスライド移動のガイドがなされるように構成されている。
【００２２】
而して、外側枠材２７の上側見込み面部２７ｂの室外側端部には第一パネル体用レール１３が固定され、外側枠材２７の室内側見付け面部２７ａの下部には第二パネル体用レール１４が一体形成され、また、内側枠材２８の下部にはドア体用レール６が一体形成されているが、この場合に、第一パネル体用レール１３は、内側枠材２８に取付けられた駆動装置３３よりも上方に位置する一方、ドア体用レール６および第二パネル体用レール１４は、駆動装置３３よりも下方に位置するように配置されている。これにより、ドア体用レール６および第一、第二パネル体用レール１３、１４の三本のレールを、平面視において駆動装置３３と見込み方向に重なる状態で配することができることになるが、さらに、駆動装置３３よりも下方に配されるドア体用レール６と第二パネル体用レール１４とは上下に並設されており、而して、ドア体用レール６および第一、第二パネル体用レール１３、１４の三本のレールを、見込み方向に幅狭な状態で開口部上枠２６内に配することができるようになっている。尚、本実施の形態において、第一パネル体用レール１３は本発明の一方のパネル体用レールに相当し、第二パネル体用レール１４は本発明の他方のパネル体用レールに相当する。
【００２３】
また、前記カバー体２９は、開口部上枠２６の室外側の見付け面を形成するとともに、その上端部が外側部材２７の上側見込み面部２７ｂの室外側端部に着脱自在に係止され、左右両端側下部が開口部縦枠３０、３１にカバー固定金具３５および固定ボルト（図示せず）を介して着脱自在に固定されるようになっている。そして、開口部上枠２６内に配設される機器、例えば前記内側部材２８に取付けられた駆動装置３３のメンテナンスを行うような場合には、カバー体２９を取外すことができるようになっている。この場合に、カバー体２９にはドア体用、第一パネル体用、第二パネル体用の何れのレール６、１３、１４も設けられていないため、カバー体２９の取付け、取りしを簡単に行うことができるようになっている。
【００２４】
ここで、ドア体２、第一パネル体７がそれぞれドア体用レール６、第一パネル体用レール１３に吊持された状態で、ドア体２、第一パネル体７の吊持部、つまりドア体用ローラユニット４、第一パネル体用ローラユニット９が室外側から目視できないように、これらローラユニット４、９がカバー体２９によって覆われた状態になること、つまりカバー体２９の下端部がドア体２、第一パネル体７の上端部よりも下方に位置するように構成することが、意匠向上の点から望まれる。一方、開口部上枠２６の見込み寸法をなるべく小さくするには、開口部上枠２６の室外側の見付け面を形成するカバー体２９を室内側の見付け面を形成する室内側見付け面部２７ａになるべく近づけて配置することが要求される。しかしながら、カバー体２９の下端部をドア体２、第一パネル体７の上端部よりも下方に位置させ、且つ、カバー体２９を室内側見付け面部２７ａに近づけて配置すると、カバー体２９の下端部が、ドア体２、第一、第二パネル体７、８のうち最も室外側に位置する第一パネル体７の上端部に干渉してしまう惧れが生じる。
このため、本実施の形態では、ドア体２、第一パネル体７の上側にドア体用、第一パネル体用のスペーサ１８、１９を設け、これらスペーサ１８、１９の上端部よりもカバー体２９の下端部が下方に位置するように構成して、ドア体２、第一パネル体７の吊持部（ドア体用ローラユニット４、第一パネル体用ローラユニット９）が室外側から目視できないようにするとともに、第一パネル体用のスペーサ１９の室外側面が第一パネル体上框７ａの室外側面よりも室内側に位置するようにスペーサ１９の見込み幅寸法を幅狭に形成し、これにより、カバー体２９を室内側見付け面部２７ａにできるだけ近づけて配置しても、カバー体２９の下端部が第一パネル体用のスペーサ１９に干渉してしまうことを回避できるようになっている。尚、ドア体２は、第一パネル体７よりも室内側に位置しているため、ドア体用のスペーサ１８はカバー体２９に干渉する惧れはないが、部品の共通化および意匠上、第一パネル体用のスペーサ１９と同形状のもの、つまり、ドア体用のスペーサ１８の室外側面がドア体上框２ａの室外側面よりも室内側に位置するようにスペーサ１８の見込み幅寸法が幅狭に形成されたものが用いられている。また、第二パネル体８は、戸袋姿勢のときには第一パネル体７の室内側に位置しているため、該第二パネル体８の吊持部（第二パネル体用ローラユニット１０）が室外側から目視される惧れはない。
【００２５】
一方、第二パネル体８にはスペーサが設けられていないとともに、第二パネル体８を吊持する第二パネル体用レール１４は、前記ドア体、第一パネル体用のスペーサ１８、１９の室内側に位置している。つまり、前述したように、ドア体用走行ローラ５はドア体２の見込み幅よりも室内側に突出しており、該ドア体用走行ローラ５を支持するドア体用レール６は、開口部上枠２６の室内側見付け面部２７ａに沿って設けられる内側枠材２８に一体形成されている。而して、ドア体用レール６は、ドア体２の室内側に位置する第二パネル体８の上方に位置していることになるが、第二パネル体８にはスペーサが設けられていないため、第二パネル体上框８ａの上面とドア体用レール６の下面部６ｃとの間には、ドア体用、第一パネル体用のスペーサ１８、１９の室内側にスペースが形成され、該スペースに第二パネル体用レール１４が配されている。これにより、ドア体用、第一パネル体用のスペーサ１８、１９の室内側のスペースを利用して第二パネル体用レール１４の配設スペースを確保できるとともに、前述したように、ドア体用レール６と第二パネル体用レール１４とは、ドア体用レール６の下面部６ｃと第二バネル体用レール１４の上面部１４ｃとが当接する状態で上下に並設されていて、両レール６、１４の強度アップが図られている。
【００２６】
次いで、前記内側枠材２８の機器配設部２８ａに取付けられる駆動装置３３について説明すると、該駆動装置３３は、ドア体２をスライド移動させるべくドア体２に連動連結されるものであって、機器配設部２８ａの戸尻側端部に配される電動モータを備えた開閉機３６、該開閉機３６の出力軸に連結される駆動プーリー３７、機器配設部２８ａの戸先側端部に配される従動プーリー３８、駆動プーリー３７と従動プーリー３８とのあいだに懸回される動力伝動体（例えば歯付ベルト等の伝動ベルトや伝動チエン）３９等を備えて構成されている。そして、上記動力伝動体３９は、戸先側のドア体用ローラユニット４のドア体用ローラ取付ブラケット２０の支持板２０ｄに連結部材２３を介して連結されており、而して、開閉機３６の駆動に伴い駆動プーリー３７が回転することにより動力伝動体３９が左右方向に変位し、該動力伝動体３９の変位に追随する状態で戸先側のドア体用ローラユニット４が強制的に移動してドア体２を開閉移動せしめるように構成されている。これにより、開口部上枠２６に取付けられた検出センサ４３からの信号を受けて開閉機３６が駆動した場合に、該開閉機３６の駆動に基づきドア体２が左右方向にスライド移動して出入口Ａの開閉を行うようになっている。
尚、図中、３９ａは動力伝動体３９の張力調整用のターンバックル、３９ｂはターンバックル３９ａに動力伝動体３９を連結するためのホルダーであって、本実施の形態では、該ホルダー３９ｂに、動力伝動体３９とドア体用ローラユニット４とを連結するための連結部材２３がボルトを介して固定されている。
また、４３ａはドア体２の戸先側縦框２ｃに取付けられたタッチプレートであって、該タッチプレート４３ａはドア体２を開こうとする人がタッチするものであるが、本実施の形態のタッチプレート４３ａは検出を行うセンサではなく、タッチプレート４３ａにタッチしている人が開口部上枠２６に取付けられた検出センサ４３によって検出されるようになっている。さらに、本実施の形態では、図示しないが、出入口Ａを左右方向に横切る光線を用いた光電センサも併用されている。
【００２７】
叙述の如く構成された本形態において、引き戸式ドア装置１は、開口部を幅方向にスライド移動するドア体２と、開口部の戸尻側半部に設けられる戸袋Ｂと、開口部の上方に設けられ、ドア体２をスライド移動させるべくドア体２に連動連結される駆動装置３３とを備え、該駆動装置３３の駆動に基づきドア体２をスライド移動させることで開口部の戸先側半部を開閉するように構成されているが、このものにおいて、前記戸袋Ｂは、ドア体２の見込み方向両側に位置する第一、第二パネル体７，８により構成されるとともに、これら第一、第二パネル体７、８はそれぞれ開口部の幅方向にスライド移動自在に設けられている。そして、開口部の上方には、ドア体２の上部に設けられたドア体用走行ローラ５をスライド移動自在にガイドするドア体用レール６と、第一、第二パネル体７，８の上部に設けられた第一、第二パネル体用走行ローラ１１、１２をそれぞれスライド移動自在にガイドする第一、第二パネル体用レール１３、１４とが配されるが、この場合に、第一パネル体用レール１３は駆動装置３３よりも上方に配され、ドア体用レール６と第二パネル体用レール１４とは駆動装置３３よりも下方に配されており、さらに、これら駆動装置３３よりも下方に配されるドア体用レール６と第二パネル体用レールとは上下に並設する状態で設けられている。
【００２８】
このように、本発明が実施されたものにあっては、戸袋Ｂを構成する第一、第二パネル体７、８がそれぞれ開口部の幅方向にスライド移動自在に設けられており、而して、第一、第二パネル体７、８の一方、或いは両方を開口部戸先側に移動させることで、戸袋Ｂの室外側半部、室内側半部、或いは室内外両側が開放された状態になって、戸袋Ｂ内の清掃や、第一、第二パネル体７、８の室内外両側のガラス面の払拭清掃等を容易に行うことができる。しかもこの場合に、ドア体２と第一、第二パネル体７、８とを引き違いさせる必要はないから、第一、第二パネル体７、８を戸先側に移動させたときにドア体２の戸先側縦框２ｃと第一、第二パネル体７、８の戸先側縦框７ｃ、８ｃとの間に指を挟んでしまうことを防止するための引き違い防止用ストッパ１６，１７を設けたり、ドア体を開閉させるための起動センサとしてのタッチセンサ等をドア体２の戸先側縦框２ｃに設けたりすることが可能となる（本実施の形態ではタッチセンサは設けられていない）。
【００２９】
さらに、開口部の上方に設けられるドア体用レール６、第一、第二パネル体用レール１３、１４の三本のレールのうち、第一パネル体用レール１３は駆動装置３３よりも上方に配され、ドア体用レール６と第二パネル体用レール１４とは駆動装置３３よりも下方に配されているから、三本のレール６、１３、１４の全てを、平面視において駆動装置３３と見込み方向に重なる状態で配することができる。しかも、駆動装置３３よりも下方に配されるドア体用レール６と第二パネル体用レール１４とは上下に並設されており、而して、ドア体用レール６および第一、第二パネル体用レール１３、１４の三本のレールを、見込み方向に幅狭な状態で開口部上枠２６内に配することができることになって、引き戸式ドア装置１のコンバクト化に寄与できる。
【００３０】
さらにこのものにおいて、前記第二パネル体用レール１４は、開口部上枠２６の一方の見付け面部を形成する外側枠材２７に一体形成される一方、ドア体用レール６は、該ドア体用レール６の下面部６ｃが第二パネル体用レール１４の上面部１４ｃに当接する状態で第二パネル体用レール１４の上側に並設されており、これにより、上下に並設されるドア体用レール６と第二パネル体用レール１４とを上下方向の寸法を可及的に小さくした状態で配することができるとともに、両レール６、１４が互いに支持された状態になって、両レール６、１４の強度アップを図ることができる。
【産業上の利用可能性】
【００３１】
本発明は、駆動装置の駆動に基づきドア体をスライド移動させて出入口を開閉する引き戸式ドア装置に利用することができる。
【符号の説明】
【００３２】
１  引き戸式ドア装置
２  ドア体
６  ドア体用レール
７  第一パネル体
８  第二パネル体
１３  第一パネル体用レール
１４  第二パネル体用レール
２６  開口部上枠
２７  外側枠材、
２７ａ  室内側見付け面部
３３  駆動装置
Ｂ  戸袋
【図１】
0006404744.tif 000002
【図２】
0006404744.tif 000003
【図３】
0006404744.tif 000004
【図４】
0006404744.tif 000005
【図５】
0006404744.tif 000006
【図６】
0006404744.tif 000007
【図７】
0006404744.tif 000008
【図８】
0006404744.tif 000009